(57)【要約】【課題】簡易な構成によりミラーを所定の回動位置に精度よく位置づけることができるようにする。【解決手段】前記ミラーユニット１０ｃは、上板部１０１および下板部１０２とこれらを連結する背板部１０３、壁部１０４が一体成型されたベース１００を備える。ミラー２０１を保持するミラーホルダ２００が、上板部１０１と下板部１０２の間に回動自在に軸支されている。壁部１０４に凹部１１１が形成され、この凹部１１１に調節板３００が装着されている。凹部１１１には、ネジ穴１１２が貫通している。調節ネジ３０１によって調節板３００の板部３００ａ、３００ｂの持ち上げ量を調節できる。ランプ１０ａ、１０ｂからの光束に対して適正に傾くよう、調節ネジ３０１によってミラー２０１の傾斜角度を簡易に調節することができる。【選択図】図５
2010113324.tif 000002
【特許請求の範囲】
【請求項１】
第１の光束を発する第１の光源と、
第２の光束を発するとともに前記第２の光束が前記第１の光束に重なるように配置された第２の光源と、
前記第１の光束と前記第２の光束が重なった位置に配置され前記第１の光束を目標方向に反射する第１の位置と前記第２の光束を前記目標方向に反射する第２の位置との間でミラーを回動可能なミラーユニットとを有し、
前記ミラーユニットは；
上板部および下板部とこれらを連結する連結部とを有するベースと、
前記ミラーを保持するとともに前記上板部と前記下板部の間に回動自在に軸支されたミラーホルダと、
前記連結部の前記ミラーホルダ側の側面に弾性変位可能に装着された調節板と、
前記連結部に先端が前記調節板の弾性変位部に当接可能に螺着された調節ネジとを備え、
前記連結部は、前記ミラーホルダの回動を規制する２つの壁部を具備し、
前記調節板は、前記弾性変位部が前記２つの壁部に位置づけられるよう前記連結部に装着されている、
ことを特徴とする照明装置。
【請求項２】
請求項１に記載の照明装置において、
前記調節板は、前記２つの壁部にそれぞれ位置づけられる２つの前記弾性変位部が一体的に橋架されて構成されている、
ことを特徴とする照明装置。
【請求項３】
請求項１または２に記載の照明装置において、
前記２つの壁部に位置づけられる２つの前記連結部にそれぞれ当接する２つの前記調節ネジの螺着方向が、互いに同じ方向となっている、
ことを特徴とする照明装置。
【請求項４】
請求項１ないし３の何れか一項に記載の照明装置と、
前記照明装置によって生成された照明光を映像信号に応じて変調する変調素子と、
前記照明装置からの照明光を前記変調素子へと導く導光光学系と、を備える、
ことを特徴とする映像表示装置。
【請求項５】
上板部および下板部とこれらを連結する連結部とを有するベースと、
ミラーを保持するとともに前記上板部と前記下板部の間に回動自在に軸支されたミラーホルダと、
前記連結部の前記ミラーホルダ側の側面に弾性変位可能に装着された調節板と、
前記連結部に先端が前記調節板の弾性変位部に当接可能に螺着された調節ネジとを備え、
前記連結部は、前記ミラーホルダの回動を規制する２つの壁部を具備し、
前記調節板は、前記弾性変位部が前記２つの壁部に位置づけられるよう前記連結部に装着されている、
ことを特徴とするミラーユニット。
【請求項６】
請求項５に記載のミラーユニットにおいて、
前記調節板は、前記２つの壁部にそれぞれ位置づけられる２つの前記弾性変位部が一体的に橋架されて構成されている、
ことを特徴とするミラーユニット。
【請求項７】
請求項５または６に記載のミラーユニットにおいて、
前記２つの壁部に位置づけられる２つの前記連結部にそれぞれ当接する２つの前記調節ネジの螺着方向が、互いに同じ方向となっている、
ことを特徴とするミラーユニット。
【発明の詳細な説明】
【技術分野】
【０００１】
本発明は、照明装置、当該照明装置を搭載する映像表示装置および前記照明装置に用いて好適なミラーユニットに関し、特に、使用される光源を切り替え可能とする場合に用いて好適なものである。
【背景技術】
【０００２】
現在、画像をスクリーンに拡大投写する投写型の映像表示装置（以下、「プロジェクタ」という）が商品化され広く普及している。かかるプロジェクタでは、一般に、光源としてランプが使用されており、ランプからの光が光変調素子によって変調されてスクリーンに投写される。
【０００３】
この場合、投写動作の途中でランプが切れると、画像の表示が中断されてしまう。このような不都合を回避するために、２つのランプを予め配しておき、使用中のランプが切れたときには、残りのランプを使用するようにしたプロジェクタが提案されている（たとえば、特許文献１、２）。
【０００４】
この構成では、２つのランプが互いに対向するように配され、これらランプの間にミラーユニットが配されている。ミラーユニットには、ミラーが回動可能に配されている。第１のランプが使用されるときには、ミラーが第１のランプに向く第１の位置に位置づけられ、第２のランプが使用されるときには、ミラーが第２のランプに向く第２の位置に位置づけられる。
【特許文献１】特開平２−２５７１９２号公報
【特許文献２】特開平４−１０４５８３号公報
【発明の開示】
【発明が解決しようとする課題】
【０００５】
このようにミラーを用いてランプを切り替える場合には、ランプからの光束に対してミラーを適正に傾斜させる必要がある。すなわち、ミラーの傾斜角度が適正角度からずれると、投写画像に色むらが発生し、また、照度低下が発生するとの問題が起こり得る。したがって、上記構成においては、ミラーが第１の位置と第２の位置に精度よく位置づけられる必要がある。
【０００６】
本発明は、上記課題に鑑みてなされたものであり、簡易な構成によりミラーを所定の回動位置に精度よく位置づけることができるようにすること目的とする。
【課題を解決するための手段】
【０００７】
本発明の第１の態様は、照明装置に関する。本態様に係る照明装置は、第１の光束を発する第１の光源と、第２の光束を発するとともに前記第２の光束が前記第１の光束に重なるように配置された第２の光源と、前記第１の光束と前記第２の光束が重なった位置に配置され前記第１の光束を目標方向に反射する第１の位置と前記第２の光束を前記目標方向に反射する第２の位置との間でミラーを回動可能なミラーユニットとを有する。また、前記ミラーユニットは、上板部および下板部とこれらを連結する連結部とを有するベースと、前記ミラーを保持するとともに前記上板部と前記下板部の間に回動自在に軸支されたミラーホルダと、前記連結部の前記ミラーホルダ側の側面に弾性変位可能に装着された調節板と、前記連結部に先端が前記調節板の弾性変位部に当接可能に螺着された調節ネジとを備える。そして、前記連結部は、前記ミラーホルダの回動を規制する２つの壁部を具備し、前記調節板は、前記弾性変位部が前記２つの壁部に位置づけられるよう前記連結部に装着されている。
【０００８】
この態様に係る照明装置によれば、調節ネジを調節することにより、壁部に対する弾性変位部の変位量を調節することができる。壁部に対して弾性変位部が持ち上げられると、ミラーホルダの回動が弾性変位部によって規制される。したがって、調節ネジを調節することにより、ミラーホルダの回動規制位置を微調節することができる。よって、本態様に係る照明装置によれば、調節ネジを調節することにより、ミラーの回動限界位置を微調節することができ、ミラーを前記第１の位置と前記第２の位置に適正に位置づけることができる。
【０００９】
第１の態様に係る照明装置において、前記調節板は、前記２つの壁部にそれぞれ位置づけられる２つの前記弾性変位部が一体的に橋架された構成とされ得る。このように、調節板を一体形成すると、一つの調節板を装着するのみで、ミラーの位置調節を行うことができる。よって、構成の簡素化と組み立て作業性の向上を図ることができる。
【００１０】
また、第１の態様に係る照明装置は、前記２つの壁部に位置づけられる２つの前記連結部にそれぞれ当接する２つの前記調節ネジの螺着方向が、互いに同じ方向となるよう構成され得る。こうすると、２つの調節ネジを一方向から調節できるため、調節時の作業を容易に行うことができる。
【００１１】
本発明の第２の態様は、映像表示装置に関する。本態様に係る映像表示装置は、上記構成を有する照明装置と、前記照明装置によって生成された照明光を映像信号に応じて変調する変調素子と、前記照明装置からの照明光を前記変調素子へと導く導光光学系とを備える。本態様に係る映像表示装置によれば、上記第１の態様に係る照明装置による効果を奏することができる。
【００１２】
本発明の第３の態様は、ミラーユニットに関する。本態様に係るミラーユニットは、上記第１の態様に係る照明装置に記載のミラーユニットの構成を備える。よって、本態様に係るミラーユニットによれば、上記第１の態様について述べたと同様の効果が奏され得る。
【発明の効果】
【００１３】
以上のとおり本発明によれば、簡易な構成によりミラーを所定の回動位置に精度よく位置づけることができる。
【００１４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１５】
以下、図面を参照して、実施の形態に係るプロジェクタの構成を説明する。
【００１６】
図１は、プロジェクタの構成を示す図（外観斜視図）である。プロジェクタは、キャビネット１を備えている。キャビネット１は、上下に薄く前後に長い略直方体形状を有しており、その側面には、キャビネット１内部に外気を取り込むための吸気口５が形成されている。
【００１７】
キャビネット１内には、光学エンジン２、投写レンズ３、および冷却装置４が配されている。光学エンジン２は、映像信号により変調された光（映像光）を生成する。光学エンジン２には、投写レンズ３が装着されており、投写レンズ３の前部が、キャビネット１の前面から露出している。光学エンジン２で生成された映像光は、投写レンズ３によって、プロジェクタ前方に配されたスクリーン面に投写される。冷却装置４は、吸気口５から外気を取り込み、この外気を冷却風として光学エンジン２に供給する。
【００１８】
図２は、光学エンジンの構成を示す図である。同図において、１０は、２つのランプ１０ａ、１０ｂとミラーユニット１０ｃを有する照明装置である。ランプ１０ａ、１０ｂは、超高圧水銀ランプ、メタルハライドランプ、キセノンランプ等からなっている。ランプ１０ａ、１０ｂからの光は、リフレクタの作用により略平行光となって出射される。
【００１９】
ミラーユニット１０ｃには、同図Ｘ−Ｚ平面に平行に回動可能なミラーが配されている。ミラーは、ランプ１０ａの起動時にはランプ１０ａからの光をフライアイインテグレータ１１へと導き、ランプ１０ｂの起動時にはランプ１０ｂからの光をフライアイインテグレータ１１へと導くよう回動される。ミラーユニット１０ｃの構成は、追って、図３ないし図５を参照して説明する。
【００２０】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなる第１および第２のフライアイレンズを備え、液晶パネル１８、２４、３３に入射する際の光量分布が均一となるよう、照明装置１０から入射される光に光学作用を付与する。
【００２１】
ＰＢＳアレイ１２は、複数のＰＢＳと１／２波長板がアレイ状に配列されたものであり、フライアイインテグレータ１１から入射された光の偏光方向を一方向に揃える。コンデンサレンズ１３は、ＰＢＳアレイ１３から入射された光に集光作用を付与する。コンデンサレンズ１３を透過した光は、ダイクロイックミラー１４に入射する。
【００２２】
ダイクロイックミラー１４は、コンデンサレンズ１３から入射された光のうち、青色波長帯の光（以下、「Ｂ光」という）のみを透過し、赤色波長帯の光（以下、「Ｒ光」という）と緑色波長帯の光（以下、「Ｇ光」という）を反射する。ダイクロイックミラー１４を透過したＢ光は、ミラー１５よって反射されコンデンサレンズ１６に入射される。
【００２３】
コンデンサレンズ１６は、Ｂ光が略平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム２０に入射される。
【００２４】
ダイクロイックミラー１４によって反射された光のうちＧ光は、ダイクロイックミラー２１によって反射され、コンデンサレンズ２２に入射される。コンデンサレンズ２２は、Ｇ光が略平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００２５】
ダイクロイックミラー２１を透過したＲ光は、コンデンサレンズ２６に入射される。コンデンサレンズ２６は、Ｒ光が略平行光で液晶パネル３３に入射するよう、Ｒ光に光学作用を付与する。コンデンサレンズ２６を透過したＲ光は、光路長調整用のリレーレンズ２７、２９、３１と２つのミラー２８、３０からなる光路を進み、入射側偏光板３２を介して液晶パネル３３に入射される。液晶パネル３３は、赤色用の映像信号に応じて駆動され、その駆動状態に応じてＲ光を変調する。液晶パネル３３によって変調されたＲ光は、出射側偏光板３４を介して、ダイクロイックプリズム２０に入射される。
【００２６】
ダイクロイックプリズム２０は、液晶パネル１８、２４、３３によって変調されたＢ光、Ｇ光およびＲ光を色合成し、投写レンズ３５へと入射させる。投写レンズ３５は、投写光を被投写面上に結像させるためのレンズ群と、これらレンズ群の一部を光軸方向に変位させて投写画像のズーム状態およびフォーカス状態を調整するためのアクチュエータを備えている。ダイクロイックプリズム２０によって色合成された光は、投写レンズ３によって、スクリーン上に拡大投写される。
【００２７】
次に、図３ないし図５を参照して、ミラーユニット１０ｃの構成について説明する。
【００２８】
図３は、ミラーユニット１０ｃの分解斜視図である。図示の如く、ミラーユニット１０ｃは、ベース１００と、ミラーホルダ２００と、調節板３００と、基板４００と、駆動部５００を備えている。
【００２９】
ベース１００は、上板部１０１、下板部１０２、背板部１０３および２つの壁部１０４を備えている。これら上板部１０１、下板部１０２、背板部１０３および２つの壁部１０４は、一体形成されている。また、２つの壁部１０４の間には、上板部１０１へと繋がる凹部１０５が配されている。
【００３０】
上板部１０１には、ミラーホルダ２０２の軸受け２０４と係合する軸穴１０６と、ミラーホルダ２０２の突起２０５が移動する円弧状のガイド孔１０７と、上板部１０１の側面から軸穴１０６へと続く直線状のガイド孔１０８が形成されている。また、上板部１０８の上面には、ボスとネジ穴を有する２つのボス１０９が形成されている。これら２つのボス１０９には、基板４００が装着される。
【００３１】
下板部１０２は、上板部１０１と平行となっている。下板部１０２には、上板部１０１の軸穴１０６と同軸となる位置に、ミラーホルダ２００の軸２０３と係合する軸穴１１０が形成されている。
【００３２】
２つの壁部１０４と背板部１０３の内側面には、調節板３００よりやや大きめの輪郭の凹部１１１が形成されている。この凹部１１１に、調節板３００が嵌め込まれネジ止めされる。また、２つの壁部１０４の外側面には、調節ネジ３０１と螺合するネジ穴１１２が形成されている。これらネジ穴１１２は、それぞれ、壁部１０４内側面の凹部１１１へと貫通している。図示の如く、２つのネジ穴１１２に対する２つの調節ネジ３０１の螺合方向は同じである。すなわち、２つのネジ穴１１２は、２つの壁部１０４の外側面から互いに同じ方向に向かって形成されている。
【００３３】
さらに、２つの壁部１０４の外側面には、ボスとネジ穴を有する２つのボス１１３が形成されている。これら２つのボス１１３には、カバー５０６が装着される。
【００３４】
なお、２つの壁部１０４は、ミラーユニット１０ｃが図２の光学エンジンに配置されたときに、各内側面が、それぞれ、ランプ１０ａ、１０ｂからの光の進行方向に対して略４５°の角度で傾くように形成されている。また、２つのネジ穴１１２の形成方向は、それぞれ、２つの壁部１０４の内側面に対して４５°の傾きを持っている。
【００３５】
ミラーホルダ２００には、ミラー２０１が装着されている。また、ミラーホルダ２００の上面には、軸２０２が突設されている。また、ミラーホルダ２００の下面には、軸２０２と同軸となる位置に、軸２０３が突設されている。軸２０２には、軸穴１０６に回動自在に軸支される軸受け２０４が装着される。さらに、ミラーホルダ２００の上面には、突起２０５が形成されている。突起２０５は、ミラーホルダ２００が回動終端位置にあるときに、基板４００下面には配設された検出スイッチ４０１、４０２に当たって検出スイッチ４０１、４０２をＯＮする。また、ミラーホルダ２００の下面には、鉤部２０６が形成されている。
【００３６】
調節板３００は、弾性のある金属性の薄板からなっており、２つの壁部１０４と背板部１０３の内側面に沿う形状よりもやや左右の板部３００ａ、３００ｂが接近した形状となっている。
【００３７】
基板４００には、下面に２つの検出スイッチ４０１、４０２が装着されている。基板４００は、２つの角部に配された孔をボス１０９の突部に係合させた状態で、ネジ４０３によってボス１０９に装着される。検出スイッチ４０１、４０２は、ミラーホルダ２００が回動終端位置にあるときに、ミラーホルダ２００上面の突起２０５に押されてＯＮされる。
【００３８】
駆動部５００は、トルクリミッタ５０２が配されたギア５０１と、ギア５０３と、モータ５０４と、モータ５０４の駆動軸に装着されたギア５０５と、カバー５０６を備えている。ギア５０３には、２つのギア部５０３ａ、５０３ｂが形成され、さらに、左右の端部には軸５０３ｃ、５０３ｄが形成されている。また、カバー５０６には、トルクリミッタ５０２の軸５０２ａ（図４参照）と係合する軸穴５０６ａと、ギア５０３の軸５０３ｃ、５０３ｄとそれぞれ係合する軸穴５０６ｂ、５０６ｃが形成されている。カバー５０６は、ネジ５０７によってボス１１３に装着される。このとき、カバー５０６に形成された２つの孔５０６ｄが、上板部１０１上面に形成された突部１１４に係合する。
【００３９】
ミラーユニット１０ｃの組み立て時には、まず、調節板３００が、凹部１１１に装着される。調節板３００は、凹部１１１に嵌め込まれた状態で中央部が背板部１０３にネジ止めされる。上記の如く、調節板３００は、２つの壁部１０４と背板部１０３の内側面に沿う形状よりもやや左右の板部３００ａ、３００ｂが接近した形状となっている。よって、このように調節板３００の中央部が凹部１１１にネジ止めされると、左右の板部３００ａ、３００ｂが撓んで凹部１１１に押し付けられるようになる。この状態において、調節板３００の表面は、２つの壁部１０４および背板１０３の内側面と略面一になっている。
【００４０】
なお、調節板３００の中央部には、３つの孔が縦方向に並ぶように形成されている。このうち真中の孔を用いて調節板３００のネジ止めが行われる。上下２つの孔は、凹部１１１に形成された突起（図示せず）に係合する。かかる係合により、凹部１１１に対する調節板３００が位置決めされる。
【００４１】
しかる後、２つの調節ネジ３０１がネジ穴１１２に螺合される。調節ネジ３０１の回転を進めると、調節ネジ３０１の先端が調節板３００の内側面に当接する。その後、さらに回転を進めると、調節ネジ３０１に先端に押されて調節板３００が撓む。２つの調節ネジ３０１の回転量を調節することにより、板部３００ａ、３００ｂの変位量を調節することができる。
【００４２】
次に、ミラーホルダ２００が、以下のようにしてベース１００に取り付けられる。すなわち、上板部１０１に形成されたガイド孔１０８からガイド孔１０７に沿って突起２０５を移動させつつ、さらに、軸受け２０４の下方の軸２０２をガイド孔１０８から軸穴１０６へと移動させる。そして、ミラーホルダ２００を下方へ移動させて軸２０３を下板部１０２の軸穴１１０に係合させると共に、軸受け２０４を軸穴１０６に係合させる。こうして、ミラーホルダ２００が上板部１０１と下板部１０２の間に回動自在に取り付けられる。
【００４３】
その後、駆動部５００が取り付けられる。まず、ミラーホルダ２００の軸２０２がトルクリミッタ５０２に取り付けられる。また、モータ５０４が凹部１０５に収容されるようにして背板部１０３に装着される。さらに、軸５０３ｃ、５０３ｄをそれぞれ軸穴５０６ｂ、５０６ｃに係合させて、ギア５０３がカバー５０６に装着される。そして、ギア部５０３ａ、５０３ｂがそれぞれギア５０５、５０１に螺合するよう、カバー５０６がネジ５０７によってボス１１３に螺着される。
【００４４】
しかる後、基板４００がボス１０９にネジ止めされる。このとき、基板４００に配された２つの検出スイッチ４０１、４０２は、ガイド孔１０７の両端近傍位置に位置づけられる。
【００４５】
最後に、図４（ａ）に示すように、下板部１０２の裏側にコイルバネ６００が装着される。なお、図４（ａ）および（ｂ）は、それぞれ、組み立て状態のミラーユニットの底面図および上面図である。なお、便宜上、図４（ｂ）では、カバー５０６が図示省略されている。
【００４６】
コイルバネ６００は、ミラーホルダ２００の下面に形成された鉤部２０６と下板部１０２の裏面に形成された鉤部１１５の間に両端が係止されるようにしてミラーユニット１０ｃに取り付けられる。ここで、鉤部１１５とミラーホルダ２００の軸との位置関係は、同図（ａ）に示すとおりである。
【００４７】
なお、同図（ａ）の状態では、鉤部２０５がコイルバネ６００により引っ張られ、ミラーホルダ２００は、コイルバネ６００から反時計方向の力を受ける。これにより、ミラーホルダ２００の背面が一方の壁部１０４に押し付けられる。このとき、調節ネジ３０１によって調節板３００の板部３００ａが凹部１１１から持ち上げられていれば、ミラーホルダ２００の背面は、板部３００ａに押し付けられる。
【００４８】
同図（ａ）の状態からミラーホルダ２００が時計方向に回転し、鉤部２０６の位置が、鉤部１１５と軸２０３を結ぶ直線を超えると、ミラーホルダ２００は、コイルバネ６００から時計方向の力を受ける。その後、ミラーホルダ２００が時計方向に回転し、背面が他方の壁部１０４に当接する位置に来ると、コイルバネ６００による引っ張り力によって、ミラーホルダ２００の背面が他方の壁部１０４に押し付けられる。このとき、調節ネジ３０１によって、調節板３００の板部３００ｂが凹部１１１から持ち上げられていれば、ミラーホルダ２００の背面は、板部３００ｂに押し付けられる。
【００４９】
ミラーホルダ２００の回動終了位置は、調整ネジ３０１による板部３００ａ、３００ｂの持ち上げ量によって調整され得る。ミラーユニット１０ｃが図２に示す光学エンジンに組み込まれた際には、各ランプ１０ａ、１０ｂからの光がともにフライアイインテグレータ１１に適正に向かうよう、調整ネジ３０１による板部３００ａ、３００ｂの持ち上げ量が調整される。
【００５０】
図４（ｃ）は、トルクリミッタ５０２の構成を示す断面図である。なお、同図は、図５（ａ）の組み立て状態におけるトルクリミッタ５０２近傍のＡ−Ａ’断面図である。
【００５１】
トルクリミッタ５０２は、下端に軸受け５０２ｂを有する軸５０２ａと、コイルバネ５０２ｃと、３つのワッシャ５０２ｄ、５０２ｅ、５０２ｆを備えている。軸受け５０２ｂは、ミラーホルダ２００の軸２０２に係合する。軸２０２の上端は、円柱形状の一部を平面状に切り欠いた形状となっており、軸受け５０２ｂの内面形状は軸２０２の上端に係合する形状となっている。
【００５２】
ギア５０１は、断面がＨ形状となっており中心に軸５０２ａよりやや大きい穴が形成されている。この穴に軸５０２ａが挿入されている。ギア５０１は、上下から２つのワッシャ５０２ｅ、５０２ｆによって挟まれている。軸５０２ａの上端は、上記の如く、カバー５０６に軸穴５０６ａに係合している。カバー５０６とワッシャ５０２ｅの間には、ワッシャ５０２ｄを介してコイルバネ５０２ｃが配されている。コイルバネ５０２ｃは、圧縮された状態で、ワッシャ５０２ｄ、５０２ｅ間に介挿されている。よって、ギア５０１は、コイルバネ５０２ｃによって軸受け５０２ｂの上面に押し付けられている。
【００５３】
ギア５０１が回転すると、ギア５０１とワッシャ５０２ｅおよびワッシャ５０２ｆとの間の摩擦力によって軸５０２ａが回転する。これにより、軸受け５０２ｂに係合した軸２０２が回動され、これに伴い、ミラーホルダ２００が回転される。一方、たとえば、ミラーホルダ２００の背面が調節板３００に当接した後、さらにギア５０１が回動されるような場合には、ギア５０１がワッシャ５０２ｅおよびワッシャ５０２ｆに対して滑り、ギア５０１のみが回動する。このように、トルクリミッタ５０２は、ギア５０１とワッシャ５０２ｆとの間の静止摩擦力の範囲においてのみ、ギア５０１の駆動力を軸２０２に伝達する。
【００５４】
図５は、組み立て状態のミラーユニット１０ｃの構成を示す図である。ミラーユニット１０ｃは、同図（ａ）に示すように、ミラーホルダ２００の背面が調節板３００の板部３００ａに当接する位置にあるときにミラー２０１がランプ１０ｂに向けられるよう配置される。このとき、ランプ１０ｂからの光は、ミラー２０１によってＤ方向に反射されて、フライアイインテグレータ１１へと導かれる。なお、同図（ａ）の状態において、ミラー２０１は、ランプ１０ｂからの光の進行方向に対してＸ−Ｚ平面方向に略４５°傾いた状態にある。また、ミラーホルダ２００の軸２０２、２０３は、Ｚ軸に平行となっている。
【００５５】
この状態から、同図（ｂ）に示すように、ミラーホルダ２００の背面が調節板３００の板部３００ｂ（同図には図示せず）に当接するまでミラーホルダ２００が回転すると、ミラー２０１がランプ１０ａに向けられる位置に位置づけられる。このとき、ランプ１０ａからの光は、同図（ａ）の場合と同様、ミラー２０１によってＤ方向に反射されて、フライアイインテグレータ１１へと導かれる。この状態において、ミラー２０１は、ランプ１０ａからの光の進行方向に対してＸ−Ｚ平面方向に略４５°傾いた状態にある。
【００５６】
上記のように、ミラー２０１による光の反射方向は、調節ネジ３０１を調節することにより調節可能である。ミラーユニット１０ｃが光学エンジン２に組み込まれたときには、ランプ１０ａ、１０ｂからの光が、何れもＤ方向に向かい、フライアイインテグレータ１１に適正に入射するよう、調節ネジ３０１が調節される。
【００５７】
なお、同図（ａ）の状態から同図（ｂ）の状態にミラーホルダ２００が回動される場合には、基板４００上の検出スイッチ４０１がＯＮとなった後も、一定期間の間、モータ５０４が駆動され続ける。この期間において、ミラーホルダ２００が調節板３００の板部３００ｂに当接すると、その後は、トルクリミッタ５０２が空転し、ミラーホルダ２００が調節板３００の板部３００ｂに押し付けられる。この駆動制御により、ミラーホルダ２００は、板部３００ｂに当接する位置に確実に位置づけられる。
【００５８】
同様に、同図（ｂ）の状態から同図（ａ）の状態にミラーホルダ２００が回動される場合には、基板４００上の検出スイッチ４０２がＯＮとなった後も、一定期間の間、モータ５０４が駆動され続ける。これにより、ミラーホルダ２００は、板部３００ａに当接する位置に確実に位置づけられる。
【００５９】
以上、本実施の形態によれば、調節ネジ３０１によって調節板３００の板部３００ａ、３００ｂの持ち上げ量を調節できるため、ランプ１０ａ、１０ｂからの光束に対して適正に傾くよう、ミラー２０１の傾斜角度を簡易に調節することができる。よって、簡易な作業により、ミラー２０１を、ランプ１０ａの使用位置とランプ１０ｂの使用位置に適正に位置づけることができる。
【００６０】
さらにこの調節を、一つの調節板３００ａと２つの調節ネジ３０１からなる極めて簡素な構成により実現することができる。また、この調節を、一方向（図５のＺ軸方向）から調節ネジ３０１を調節するのみで行うことができ、簡易な作業により円滑にミラー２０１の位置調節を行うことができる。たとえば、本実施の形態では、ミラーユニット１０ｃを設置した状態で、図５のＺ軸の矢印方向と反対方向に、ミラーユニット１０ｃのＸ軸方向の幅と同程度の幅のスペースがあれば、治具により２つの調節ネジ３０１を個別に調節できる。
【００６１】
なお、上記ミラー位置の調節は、製品出荷時に、たとえば、以下の作業を行うことにより行われる。すなわち、ミラーホルダ２００を板部３００ａに押し付けながら、ランプ１０ａを起動して画像を投写させ、投写画像が最良となるように、板部３００ａ側の調節ネジ３０１を調節する。こうして、板部３００ａの調節が終わると、次に、ミラーホルダ２００を板部３００ｂに押し付けながら、ランプ１０ａを起動して画像を投写させ、投写画像が最良となるように、板部３００ｂ側の調節ネジ３０１を調節する。なお、この調節の際には、コイルバネ６００による弾性力のみを用いて板部３００ａまたは３００ｂにミラーホルダ２００の押し付けてもよいが、さらに、この調節時に、トルクリミッタ５０２を空転させつつモータ５０４を駆動させて、ミラーホルダ２００を板部３００ａまたは３００ｂに押し付けるようにしても良い。
【００６２】
また、本実施の形態によれば、一体成型されたベース１００によってミラーホルダ２００が回動支持されているため、ベース１００が複数の構成部品から構成され、これら構成部品を組み付けながらミラーホルダ２００をベース１００に取り付ける場合に比べ、ミラーホルダ２００の位置ずれや軸ずれが生じ難い。よって、この点からも、ミラー２０１を図５（ａ）に示すランプ１０ｂ用の位置と同図（ｂ）に示すランプ１０ａ用の位置に精度よく位置づけることができる。
【００６３】
以上、本発明の実施形態について説明したが、本発明は上記実施の形態に何ら制限されるものではない。また、本発明の実施形態は、上記以外に種々変更可能である。
【００６４】
たとえば、上記実施の形態では、板部３００ａ、３００ｂを一体的に備える調節板３００をベースに装着する構成としたが、図６に示す如く、板部３００ａ、３００ｂを別体とし、これらをそれぞれ２つの壁部１０４に配置するようにしても良い。この場合、２つの板部３００ａ、３００ｂは、必ずしも、互いに同じ高さとなる位置に装着される必要はなく、ミラーホルダ２００の回動を適正に規制できれば、互いに異なる高さ位置に装着されても良い。
【００６５】
また、上記実施の形態では、２つの調節ネジ３０１の螺着方向が互いに同じとなるよう構成したが、２つの調節ネジ３０１の螺着方向が互いに異なるよう、ネジ穴１１２を形成しても良い。
【００６６】
また、上記実施の形態では、凹部１０５が上板部１０１のみに繋がる構成とされたが、凹部１０５が下板部１０２にも繋がるようにしても良い。また、上記実施の形態では、各種ギアからなる伝達機構と基板４００が上板部１０１に装着されたが、凹部１０５を下板部１０２へと繋げて、伝達機構と基板４００を下板部１０２に装着しても良い。
【００６７】
さらに、上記実施の形態では、ランプ１０ａ、１０ｂが互いに対向するよう光学エンジン２を構成したが、たとえば、図７に示すように、ランプ１０ａ、１０ｂからの光を、Ｘ方向に対して傾く方向から、ミラーユニット１０ｃに入射させるようにしても良い。
【００６８】
この他、本発明の実施の形態は、特許請求の範囲に示された技術的思想の範囲内において、適宜、種々の変更が可能である。
【図面の簡単な説明】
【００６９】
【図１】実施の形態に係るプロジェクタの概観を示す図
【図２】実施の形態に係る光学エンジンの構成を示す図
【図３】実施の形態に係るミラーユニットの構成を示す分解斜視図
【図４】実施の形態に係るミラーユニットの構成を示す底面図および上面図とトルクリミッタの構成を示す断面図。
【図５】実施の形態に係るミラーユニットの構成を示す図
【図６】実施の形態に係る調節板の変更例を示す図
【図７】実施の形態に係る光学エンジンの変更例を示す図
【符号の説明】
【００７０】
１０  …  照明装置
１０ａ、１０ｂ  …  ランプ
１０ｃ  …  ミラーユニット
１００  …  ベース
１０１  …  上板部
１０２  …  下板部
１０３  …  背板部（連結部）
１０４  …  壁部
１１１  …  凹部
１１２  …  ネジ穴
２００  …  ミラーホルダ
２０１  …  ミラー
３００  …  調節板
３００ａ、３００ｂ  …  板部（弾性変位部）
３０１  …  調節ネジ
【図１】
2010113324.tif 000003
【図２】
2010113324.tif 000004
【図３】
2010113324.tif 000005
【図４】
2010113324.tif 000006
【図５】
2010113324.tif 000007
【図６】
2010113324.tif 000008
【図７】
2010113324.tif 000009